(57)【要約】【課題】携帯性に優れるとともに、画像表示の遅延を抑制可能な画像表示システムおよび画像表示装置を提供すること。【解決手段】画像表示システムは、ＰＣと、プロジェクタ３と、ＵＳＢケーブル４とを備える。ＰＣは、画像情報に画像処理を施し、処理済画像情報とその取得指令とをプロジェクタ３に送信する。プロジェクタ３は、処理済画像情報を受信する送受信部３２１と、処理済画像情報を記憶する不揮発性の画像情報記憶部３２３と、画像情報記憶部３２３への処理済画像情報の記憶行為を実行する記憶行為実行部３２４と、取得指令に基づいて、送受信部３２１が受信する処理済画像情報、および画像情報記憶部に記憶された処理済画像情報のうち、少なくともいずれか一方を取得する処理済画像情報取得部３２５と、処理済画像情報に基づく画像を画像投射部３１に表示させる液晶パネル駆動制御部３２７とを備える。【選択図】図３
2008058574.tif 000002
【特許請求の範囲】
【請求項１】
画像情報を処理する情報処理装置と、前記情報処理装置にて処理された前記画像情報に基づく画像を表示する画像表示装置と、前記情報処理装置および前記画像表示装置間を情報の送受信可能に接続する情報伝送手段とを備えた画像表示システムであって、
前記情報処理装置は、
前記画像情報を取得するとともに、取得した前記画像情報に所定の画像処理を施す画像処理部と、
前記画像表示装置に対して、前記画像処理部にて画像処理が施された処理済画像情報の取得指令を行う処理済画像情報取得指令部と、
前記処理済画像情報および前記取得指令を前記画像表示装置に送信する情報送信部とを備え、
前記画像表示装置は、
前記情報伝送手段を介して前記情報処理装置から送信された前記処理済画像情報を受信する情報受信部と、
前記処理済画像情報を記憶する不揮発性の画像情報記憶部と、
前記画像情報記憶部への前記処理済画像情報の記憶行為を実行する記憶行為実行部と、
前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、
前記処理済画像情報取得部で取得された処理済画像情報に基づく画像を、画像表示装置側表示部に表示させる画像表示制御部とを備えている
ことを特徴とする画像表示システム。
【請求項２】
請求項１に記載の画像表示システムにおいて、
前記画像表示装置は、前記処理済画像情報を合成する画像情報合成部を備え、
前記情報受信部が受信する処理済画像情報と、前記画像情報記憶部に記憶された処理済画像情報との取得指令がなされた場合に、
前記処理済画像情報取得部は、前記情報受信部が受信する処理済画像情報を前記情報受信部から順次取得するとともに、前記画像情報記憶部に記憶された処理済画像情報を前記画像情報記憶部から取得し、
前記画像情報合成部は、前記処理済画像情報取得部が取得した前記処理済画像情報同士を合成する
ことを特徴とする画像表示システム。
【請求項３】
請求項１または請求項２に記載の画像表示システムにおいて、
前記情報処理装置は、前記処理済画像情報を圧縮する画像情報圧縮部を備え、
前記画像表示装置は、圧縮された前記処理済画像情報を伸張する画像情報伸張部を備えている
ことを特徴とする画像表示システム。
【請求項４】
請求項１〜請求項３のいずれかに記載の画像表示システムにおいて、
前記情報処理装置は、前記情報送信部から送信される処理済画像情報を記憶する旨の記憶要求信号を生成し、前記前記情報送信部を介して送信する画像情報記憶要求部を備え、
前記画像表示装置の前記記憶行為実行部は、前記記憶要求信号に基づいて、前記画像情報記憶部への前記処理済画像情報の記憶行為を実行する
ことを特徴とする画像表示システム。
【請求項５】
画像情報の処理を施すとともに、処理が施された処理済画像情報とこの処理済画像情報の取得指令とを情報伝送手段を介して送信する情報処理装置と前記情報伝送手段を介して
接続され、前記処理済画像情報に基づく画像を表示する画像表示装置であって、
前記情報伝送手段を介して前記情報処理装置から送信された前記処理済画像情報を受信する情報受信部と、
前記処理済画像情報を記憶する不揮発性の画像情報記憶部と、
前記画像情報記憶部への前記処理済画像情報の記憶行為を実行する記憶行為実行部と、
前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、
前記処理済画像情報取得部で取得された前記処理済画像情報に基づく画像を、画像表示装置側表示部に表示させる画像表示制御部とを備えている
ことを特徴とする画像表示装置。
【発明の詳細な説明】
【技術分野】
【０００１】
本発明は、画像表示システムおよび画像表示装置に関する。
【背景技術】
【０００２】
従来、ＰＣ（Personal Computer）などの情報処理装置と、プロジェクタなどの画像表示装置とを備え、情報処理装置から送信される画像データに基づく画像を画像表示装置に表示させる画像表示システムが知られている（例えば、特許文献１参照）。
この特許文献１に記載の画像表示システムでは、ＰＣが記憶装置を有しており、カメラで撮影した被写体の画像の画像データを、画像処理を施した上でＰＣに保存することで、一度撮影した被写体の画像を容易に再投影可能としている。また、この画像表示システムにでは、カメラによって撮影した被写体の画像データがリアルタイムにプロジェクタに送られる場合と、ＰＣに保存されている画像データが読み出されてプロジェクタに送られる場合とがある。
【０００３】
【特許文献１】特開２００５−７９７２７号公報
【発明の開示】
【発明が解決しようとする課題】
【０００４】
しかしながら、特許文献１に記載の画像表示システムでは、画像データをＰＣ上に保存しているため、画像データに基づく画像をプロジェクタに表示させるには、ＰＣの併用が必須条件となる。このため、例えば、場所を移して画像を表示させる場合には、常にＰＣおよびプロジェクタの両方を移動させなければならず、十分な携帯性が確保されていないという問題がある。
また、撮影中の被写体の画像データかＰＣに保存されている画像データかにかかわらず、プロジェクタに画像を表示させるには、画像データをＰＣからプロジェクタに送る必要があるため、画像データの容量によっては、画像表示の遅延が発生するおそれがある。
【０００５】
本発明の目的は、携帯性に優れるとともに、画像表示の遅延を抑制可能な画像表示システムおよび画像表示装置を提供することにある。
【課題を解決するための手段】
【０００６】
本発明の画像表示システムは、画像情報を処理する情報処理装置と、前記情報処理装置にて処理された前記画像情報に基づく画像を表示する画像表示装置と、前記情報処理装置および前記画像表示装置間を情報の送受信可能に接続する情報伝送手段とを備えた画像表示システムであって、前記情報処理装置は、前記画像情報を取得するとともに、取得した前記画像情報に所定の画像処理を施す画像処理部と、前記画像表示装置に対して、前記画像処理部にて画像処理が施された処理済画像情報の取得指令を行う処理済画像情報取得指令部と、前記処理済画像情報および前記取得指令を前記画像表示装置に送信する情報送信部とを備え、前記画像表示装置は、前記情報伝送手段を介して前記情報処理装置から送信された前記処理済画像情報を受信する情報受信部と、前記処理済画像情報を記憶する不揮発性の画像情報記憶部と、前記画像情報記憶部への前記処理済画像情報の記憶行為を実行する記憶行為実行部と、前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、前記処理済画像情報取得部で取得された処理済画像情報に基づく画像を、画像表示装置側表示部に表示させる画像表示制御部とを備えていることを特徴とする。
【０００７】
このような本発明によれば、画像表示装置が不揮発性の画像情報記憶部を有しているため、画像情報を長期間にわたって保存することができる。このため、画像情報記憶部に記憶させた画像情報に基づく画像を表示する場合には、情報処理装置を必ずしも必要とせず、携帯性を向上させることができる。
また、画像情報記憶部に記憶させた画像情報に基づく画像を表示させる際には、情報処理装置側から再生指示を行うだけで再生することが可能となるので、情報処理装置側から画像表示装置への画像情報の送信が不要となり、情報処理装置および画像表示装置間の通信速度が問題となることはない。従って、ユーザが遅延を感じることなく、スムーズな画像表示が可能となる。
【０００８】
本発明の画像表示システムでは、前記画像表示装置は、前記処理済画像情報を合成する画像情報合成部を備え、前記情報受信部が受信する処理済画像情報と、前記画像情報記憶部に記憶された処理済画像情報との取得指令がなされた場合に、前記処理済画像情報取得部は、前記情報受信部が受信する処理済画像情報を前記情報受信部から順次取得するとともに、前記画像情報記憶部に記憶された処理済画像情報を前記画像情報記憶部から取得し、前記画像情報合成部は、前記処理済画像情報取得部が取得した前記処理済画像情報同士を合成することが好ましい。
【０００９】
このような本発明によれば、情報受信部が受信する処理済画像情報と、画像情報記憶部に記憶された処理済画像情報との両方の取得指令がなされた場合に、処理済画像情報取得部が両方の処理済画像情報を取得し、画像情報合成部がこれら処理済画像情報同士を合成するため、両画像情報に基づく画像をそれぞれ同時に表示させる、いわゆるピクチャインピクチャ表示を簡単に行うことができる。このため、例えば、プレゼンテーション中に参考資料の画像を同時に表示させるなどに、視聴者により多くの情報を即座に提供できる。
また、この場合でも、予め画像情報を画像情報記憶部に記憶させておくことで、情報処理装置側から画像表示装置への画像情報の送信が不要となるため、ユーザが遅延を感じることなく、スムーズに画像を表示させることができる。
【００１０】
本発明の画像表示システムでは、前記情報処理装置は、前記処理済画像情報を圧縮する画像情報圧縮部を備え、前記画像表示装置は、圧縮された前記処理済画像情報を伸張する画像情報伸張部を備えていることが好ましい。
ここで、圧縮する方法としては、画像情報のフレーム間で変化があった場合、差分情報のみを送る方法や、ハフマン符号等を用いた符号化による圧縮方法が採用することができる。
【００１１】
このような本発明によれば、処理済画像情報を情報処理装置で圧縮してから画像表示装置に送るため、画像情報記憶部に記憶させる画像情報の容量を小さくできる。これにより、画像情報記憶部により多くの画像情報を記憶させることができる。
また、圧縮により画像情報のデータ量が少なくなるので、画像情報の伝送に要する時間を短縮することができる。
【００１２】
本発明の画像表示システムでは、前記情報処理装置は、前記情報送信部から送信される処理済画像情報を記憶する旨の記憶要求信号を生成し、前記前記情報送信部を介して送信する画像情報記憶要求部を備え、前記画像表示装置の前記記憶行為実行部は、前記記憶要求信号に基づいて、前記画像情報記憶部への前記処理済画像情報の記憶行為を実行することが好ましい。
【００１３】
このような本発明によれば、画像表示装置の前記記憶行為実行部は、情報処理装置により記憶要求がなされた処理済画像情報のみ画像情報記憶部に記憶させる。このため、記憶不要な処理済画像情報まで画像情報記憶部に記憶することがなく、画像情報記憶部により
多くの画像情報を記憶させることができる。
【００１４】
本発明は、前述の本発明の画像表示システムを構成するサブコンビネーションとしての画像表示装置としても構成することができる。
具体的には、本発明に係る画像表示装置は、画像情報の処理を施すとともに、処理が施された処理済画像情報とこの処理済画像情報の取得指令とを情報伝送手段を介して送信する情報処理装置と前記情報伝送手段を介して接続され、前記処理済画像情報に基づく画像を表示する画像表示装置であって、前記情報伝送手段を介して前記情報処理装置から送信された前記処理済画像情報を受信する情報受信部と、前記処理済画像情報を記憶する不揮発性の画像情報記憶部と、前記画像情報記憶部への前記処理済画像情報の記憶行為を実行する記憶行為実行部と、前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、前記処理済画像情報取得部で取得された前記処理済画像情報に基づく画像を、画像表示装置側表示部に表示させる画像表示制御部とを備えていることを特徴とする。
【発明を実施するための最良の形態】
【００１５】
［第１実施形態］
以下、本発明の第１実施形態を図面に基づいて説明する。
〔プロジェクションシステムの構成〕
図１は、画像表示システムとしてのプロジェクションシステム１の構成を示す図である。
プロジェクションシステム１は、図１に示すように、情報処理装置としてのＰＣ２と、画像表示装置としてのプロジェクタ３と、情報伝送手段としてのＵＳＢ（Universal Serial Bus）ケーブル４とを備えている。
【００１６】
このようなプロジェクションシステム１において、ＰＣ２は、画像情報としての画像データに関する処理を行い、処理済の画像データをプロジェクタ３に送信する。そして、プロジェクタ３は、ＰＣ２で処理された画像データを記憶するとともに、処理された画像データに基づく画像をスクリーンＳｃに投射表示する。これらＰＣ２およびプロジェクタ３間は、ＵＳＢ（Universal Serial Bus）ケーブル４により各種情報を送受信可能に接続されている。
なお、情報伝送手段としては、デジタル信号を伝送可能とするものであれば、いずれの構成でも採用でき、ＵＳＢケーブル４の他にも、例えば、ＬＡＮ(Local Area Network)ケーブル等の有線でデジタル信号を伝送する各規格の他、無線媒体（電波、音、赤外線等）を介してデジタル信号を伝送する規格も含むものでもよい。
【００１７】
〔ＰＣの構成〕
図２は、ＰＣ２の概略構成を示すブロック図である。
ＰＣ２は、図２に示すように、操作部２１、表示部２２、および制御装置２３を備えて構成される。
【００１８】
操作部２１は、例えば、キーボードおよびマウスなどで入力操作される各種操作ボタンを有している。そして、ユーザによる操作部２１の入力操作により、操作部２１から適宜所定の操作情報を制御装置２３に出力する。
なお、この操作部２１としては、操作ボタンの入力操作に限らず、例えばタッチパネルによる入力操作や、音声による入力操作などにより、各種条件を設定入力する構成としてもよい。
【００１９】
表示部２２は、制御装置２３により制御され、所定の情報を表示する。例えば、制御装
置２３にて処理された情報の表示、または、操作部２１の入力操作により、制御装置２３の後述するメモリに格納する情報を設定入力または更新する際、制御装置２３から出力されるメモリ内のデータを適宜表示させる。
【００２０】
制御装置２３は、操作部２１からのユーザの操作情報に応じて、所定のプログラムを実行し、ＰＣ２全体を制御する。この制御装置２３は、図２に示すように、送受信部２３１、メインメモリ２３２、補助メモリ２３３、画像補正パラメータ記憶部２３４、画像処理部２３５、および処理済画像情報取得指令部２３６を備えている。これら各構成要素２３１〜２３６は、図示しないバスにより接続され、必要な情報が伝送可能に構成されている。
【００２１】
送受信部２３１は、種々の情報伝送手段に対応した規格でデータの送受信を実施する部分であり、本実施形態では、ＵＳＢケーブル４を介してプロジェクタ３と各種情報を送受信可能に接続されている。このような送受信部２３１は、制御装置２３で画像補正処理が施された画像データや、後述する処理済画像情報取得指令部２３６で生成された取得指令を、ＵＳＢケーブル４を介してプロジェクタ３へ送信する情報送信部としても機能する。
【００２２】
メインメモリ２３２は、画像処理部２３５などで処理するためのデータなどを記憶する。各種データとしては、例えば操作部２１から出力されたユーザの操作情報、送受信部２３１を介して入力されたデータ、画像処理部２３５で処理するためのデータなどが例示できる。
補助メモリ２３３は、ユーザが表示させようとする画像データを記憶する部分であり、例えば、ＨＤ（Hard Disc）、ＤＶＤ（Digital Versatile Disc）、メモリカードなどが例示できる。
【００２３】
画像補正パラメータ記憶部２３４は、プロジェクタ３の特性に応じた画像補正のための補正パラメータを記憶している。画像補正パラメータ記憶部２３４に記憶される補正パラメータとしては、例えば、台形補正、色変換、γ補正、ＶＴ−γ補正などのための各種補正パラメータが例示できる。
なお、これら補正パラメータを記録したメモリカードやＣＤ−ＲＯＭをＰＣ２に挿入して、画像補正パラメータ記憶部２３４に補正パラメータをインストールしてもよい。または、ＰＣ２がＵＳＢケーブル４を介して所定の補正パラメータをプロジェクタ３から読み取って、画像補正パラメータ記憶部２３４に記憶してもよい。
【００２４】
画像処理部２３５は、例えばＧＰＵ（Graphics Processor Unit）などを含んで構成され、画像データに対して上述したような補正処理を実施する。この画像処理部２３５は、画像情報取得部２３５１と、画像補正処理部２３５２と、画像情報圧縮部２３５３とを備えている。
画像情報取得部２３５１は、補助メモリ２３３から画像データを取得するとともに、記録方式に応じたデコードを行ってフレーム毎に画像データを復号する。例えば、復号することで各画素に対して８ビットの色情報（色調データ）が与えられている画像データが得られる。そして、画像情報取得部２３５１は、復号した画像データを画像補正処理部２３５２に出力する。
【００２５】
画像補正処理部２３５２は、図２に示すように、形状変換処理部２３５２Ａと、色調補正処理部２３５２Ｂとを備えている。
形状変換処理部２３５２Ａは、画像情報取得部２３５１により復号された画像データに対して形状変換処理、すなわち、台形補正、スクリーンＳｃが曲面である場合にスクリーンＳｃの形状に応じて行う補正、プロジェクタ３に内蔵されたレンズに起因する歪みの補正等を実施する。そして、形状変換処理部２３５２Ａは、形状変換処理を施した画像デー
タを色調補正処理部２３５２Ｂに出力する。
【００２６】
色調補正処理部２３５２Ｂは、形状変換処理部２３５２Ａから出力された画像データに対して、プロジェクタ３の色特性に応じた画像データの色調データを変換補正（色調補正処理）する。色調補正処理としては、例えば、色変換、γ補正、ＶＴ−γ補正、色ムラ補正等が例示できる。例えば、色調補正処理を施すことで、当初は８ビットであった色調データを１０ビット以上の精度に補正することが例として挙げられる。
【００２７】
画像情報圧縮部２３５３は、画像補正処理部２３５２で補正処理が施された画像データの圧縮処理を行う。画像データの圧縮処理としては、データの欠落を生じないようにＪＰＥＧ符号化する方法などが例示できる。そして、画像情報圧縮部２３５３は、圧縮後のデータを送受信部２３１およびＵＳＢケーブル４を介して、プロジェクタ３へ適宜送信する。
【００２８】
処理済画像情報取得指令部２３６は、操作部２１からのユーザの操作情報に基づいて、プロジェクタ３に対して画像処理済みの画像データの取得指令を生成する。具体的に、処理済画像情報取得指令部２３６は、ユーザが、補助メモリ２３３の画像データに基づく画像のリアルタイム表示を要求している場合には、ＰＣ２から送信される画像データをプロジェクタ３に順次取得させる指令を生成する。また、ユーザが、プロジェクタ３に記憶されている画像データの詳細を示す再生データ情報の中から、特定の再生データ情報を選択することで画像データの再生表示を要求している場合には、選択された再生データ情報に対応する画像データを、プロジェクタ３に記憶されている画像データの中から取得させる指令を生成する。そして、処理済画像情報取得指令部２３６は、生成した取得指令を、送受信部２３１およびＵＳＢケーブル４を介してプロジェクタ３へ送信する。
ここで、再生データ情報とは、プロジェクタ３に記憶されている画像データの詳細情報が記録されたものであり、録画日時およびタイトルのようなインデックス情報が例示される。この再生データ情報は、ＰＣ２およびプロジェクタ３で共通の認識がなされれば、ＰＣ２に記憶しておいてもよく、また、プロジェクタ３から取得するようにしてもよい。
【００２９】
〔プロジェクタの構成〕
図３は、プロジェクタ３の概略構成を示すブロック図である。
プロジェクタ３は、図３に示すように、画像表示装置側表示部としての画像投射部３１と、制御装置３２とを備えて構成される。
【００３０】
画像投射部３１は、制御装置３２による制御の下、光学像を形成してスクリーンＳｃに拡大投射する。この画像投射部３１は、図３に示すように、光源装置３１１と、液晶ライトバルブ３１２と、投射光学装置３１３などを備えている。
光源装置３１１は、制御装置３２による制御の下、光束を液晶ライトバルブ３１２に向けて射出する。この光源装置３１１は、光源ランプ３１１１と、ランプドライバ３１１２とを備えている。
【００３１】
光源ランプ３１１１は、超高圧水銀ランプにて構成されている。なお、超高圧水銀ランプに限らず、メタルハライドランプ、キセノンランプなどの他の放電発光型の光源ランプを採用してもよい。さらに、放電発光型の光源ランプに限らず、発光ダイオード、レーザダイオード、有機ＥＬ素子、シリコン発光素子などの各種自己発光素子を採用してもよい。
ランプドライバ３１１２は、制御装置３２による制御の下、所定の駆動電圧で光源ランプ３１１１を駆動する。
【００３２】
液晶ライトバルブ３１２は、透過型の液晶パネルであり、制御装置３２からの駆動信号
に基づいて、液晶セル（図示略）に封入された液晶分子の配列を変化させ、光源ランプ３１１１から射出された光束を、透過若しくは遮断することによりＰＣ２にて処理された画像データに応じた光学像を投射光学装置３１３に射出する。
投射光学装置３１３は、液晶ライトバルブ３１２から射出された光学像をスクリーンＳｃに向けて拡大投射する。
【００３３】
なお、図示は省略したが、プロジェクタ３は、ＲＧＢの３色に対応する３枚の液晶ライトバルブ３１２を備えている。また、光源装置３１１は、光源光を３色の光に分離する色光分離光学系を備えている。さらに、投射光学装置３１３は、３色の画像光を合成してカラー画像を表す光学像を生成する合成光学系を有している。なお、このような光学系の構成については、種々の一般的なプロジェクタの光学系の構成が利用可能である。
【００３４】
制御装置３２は、ＰＣ２側からの制御指令にしたがって、プロジェクタ３全体を制御する。この制御装置３２は、図３に示すように、送受信部３２１、画像補正パラメータ記憶部３２２、画像情報記憶部３２３、記憶行為実行部３２４、処理済画像情報取得部３２５、画像情報伸張部３２６、および画像表示制御部としての液晶パネル駆動制御部３２７を備えている。これら各構成要素３２１〜３２７は、図示しないバスにより接続され、必要な情報が伝送可能に構成されている。
【００３５】
送受信部３２１は、ＰＣ２の送受信部２３１と同様に、種々の情報伝送手段に対応した規格でデータの送受信を実施する部分であり、ＵＳＢケーブル４を介してＰＣ２と各種データを送受信可能に接続されている。このような送受信部３２１は、ＰＣ２から送信される画像補正処理後の画像データや取得指令を、ＵＳＢケーブル４を介して受信する情報受信部としても機能する。
画像補正パラメータ記憶部３２２は、プロジェクタ３の特性に応じた画像補正のための補正パラメータを記憶している。この補正パラメータとしては、例えば、台形補正、輝度むら、色むら、γ補正等のための各種パラメータが例示できる。
【００３６】
画像情報記憶部３２３は、ハードディスクなどの不揮発性の記憶装置であり、ＰＣ２において補正処理済み、かつ圧縮済みの画像データを記憶する。
記憶行為実行部３２４は、補正圧縮済みの画像データの画像情報記憶部３２３への記憶行為を実行する。具体的に、記憶行為実行部３２４は、例えば、図４に示すように、画像データに関する各種ヘッダ情報を該画像データに加えて、１つのまとまったデータとして画像情報記憶部３２３に順次記憶させる。ここで、各種ヘッダ情報としては、画像データの記録日時、使用ユーザ名、表示ファイル名、全体の通し番号等が例示され、ＰＣ２から送信される。
【００３７】
処理済画像情報取得部３２５は、ＰＣ２からの取得指令に基づいて、補正処理済みかつ圧縮済みの画像データを、送受信部３２１および画像情報記憶部３２３のいずれか一方から取得する。具体的に、処理済画像情報取得部３２５は、送受信部３２１で受信した画像データを取得し、画像情報記憶部３２３や画像情報伸張部３２６に送信する。また、処理済画像情報取得部３２５は、画像情報記憶部３２３に記憶されている画像データに基づく画像の再生表示が要求されている場合には、該当する画像データを画像情報記憶部３２３から取得し、画像情報伸張部３２６に送信する。
【００３８】
画像情報伸張部３２６は、処理済画像情報取得部３２５が取得した圧縮済みの画像データに伸張処理を施して、伸張処理後の画像データを液晶パネル駆動制御部３２７に出力する。
液晶パネル駆動制御部３２７は、画像情報伸張部３２６で伸張された画像データに基づく駆動信号を液晶ライトバルブ３１２に出力し、ＰＣ２で画像処理済みの画像データに基
づく光学像を液晶ライトバルブ３１２に形成させる。
【００３９】
〔プロジェクションシステムの作用〕
次に、上述したプロジェクションシステム１の作用について図面を参照して説明する。
図５は、ＰＣ２から送信される画像データに基づく画像のリアルタイム表示時の作用を説明するフローチャートであり、図６は、プロジェクタ３に記憶されている画像データに基づく画像の再生表示時の作用を説明するフローチャートである。
【００４０】
先ず、図５に基づいて、プロジェクションシステム１におけるリアルタイム表示時の作用を説明する。
ＰＣ２において、制御装置２３が、ユーザの操作情報に基づいて、リアルタイム表示が要求されていると判断した場合に、画像情報取得部２３５１は、補助メモリ２３３から画像データを取得し、取得した画像データに対してデコードやＩＰ変換等を行ってフレーム毎に画像データを復号する（ステップＳ１）。
【００４１】
画像補正処理部２３５２は、復号した画像データに対して形状変換処理や色調変換処理を施し（ステップＳ２）、画像情報圧縮部２３５３は、画像処理済みの画像データを圧縮する（ステップＳ３）。
そして、処理済画像情報取得指令部２３６は、送信する処理済みの画像データをプロジェクタ３に取得させる指令を生成し（ステップＳ４）、送受信部２３１は、この取得指令および処理済みの画像データを、ＵＳＢケーブル４を介してプロジェクタ３へ送信する（ステップＳ５）。
【００４２】
ステップＳ５の後、プロジェクタ３の送受信部３２１は、補正圧縮済みの画像データおよび該画像データの取得指令をＰＣ２から受信し、処理済画像情報取得部３２５は、取得指令に従って、この画像データを送受信部３２１から取得する（ステップＳ６）。
記憶行為実行部３２４は、取得した画像データに関する各種ヘッダ情報を該画像データに加え、１つのまとまった画像データとして画像情報記憶部３２３に記憶させる（ステップＳ７）。
【００４３】
さらに、画像情報伸張部３２６は、処理済画像情報取得部３２５により取得された補正圧縮済みの画像データに伸張処理を施す（ステップＳ８）。
そして、液晶パネル駆動制御部３２７は、伸張処理後の画像データに基づく駆動信号を液晶ライトバルブ３１２に出力し、液晶ライトバルブ３１２に処理済みの画像データに基づく光学像を形成させる（ステップＳ９）。
【００４４】
次に、図６に基づいて、プロジェクタ３に記憶されている画像データに基づく画像の再生表示時の作用を説明する。
ＰＣ２において、制御装置２３が、ユーザの操作情報に基づいて、再生表示が要求されていると判断した場合、すなわち、ユーザが、再生データ情報に基づいて、特定の画像データを選択した場合に（ステップＳ１１）、処理済画像情報取得指令部２３６は、プロジェクタ３に対して、画像情報記憶部３２３に記憶されている画像データの中から、選択された再生データ情報に対応する画像データを取得させる指令を生成する（ステップＳ１２）。
そして、送受信部２３１は、この取得指令を、ＵＳＢケーブル４を介してプロジェクタ３へ送信する（ステップＳ１３）。
【００４５】
ステップＳ１２の後、プロジェクタ３の送受信部３２１は、ＰＣ２から取得指令を受信し（ステップＳ１４）、処理済画像情報取得部３２５は、画像情報記憶部３２３に記憶されている画像データの中から、取得指令に従って画像データを取得する（ステップＳ１５
）。
そして、画像情報伸張部３２６は、処理済画像情報取得部３２５により取得された補正圧縮済みの画像データに伸張処理を施し（ステップＳ１６）、液晶パネル駆動制御部３２７は、伸張処理後の画像データに基づく駆動信号を液晶ライトバルブ３１２に出力して、処理済みの画像データに基づく光学像を形成させる（ステップＳ１７）。
【００４６】
このような本実施形態では、プロジェクタ３が画像情報記憶部３２３を備えているため、ＰＣ２から送信されてきた画像データを保存することができる。従って、この画像データに基づく画像を表示させる場合に、ＰＣ２からプロジェクタ３への画像データの送信を不要とすることができる。
【００４７】
［第２実施形態］
次に、本発明の第２実施形態を図面に基づいて説明する。
なお、この第２実施形態および後述する第３実施形態において、第１実施形態あるいは他の実施形態における説明済みの構成および作用と同一の構成については、同一符号を付し説明を省略し、略等しい構成については、同一名称を付し説明を簡略にする。
【００４８】
前述した第１実施形態では、プロジェクタ３は、ＰＣ２から送信されてきた画像処理済みの画像データを、記憶行為実行部３２４が画像情報記憶部３２３に順次記憶させていた。
これに対して、第２実施形態に係る画像表示システムでは、図７に示すように、ＰＣ２に画像情報記憶要求部２３７が設けられていて、画像情報記憶要求部２３７から記憶要求があった画像データのみ、画像情報記憶部３２３に記憶する点が相違する。
【００４９】
具体的に、ＰＣ２の画像情報記憶要求部２３７は、送信する画像データの記憶をプロジェクタ３に要求する記憶要求信号としての記憶要求フラグを生成する。この記憶要求フラグをセットする条件としては、画像データのフレームレートごとに定期的に行う場合、時間的に前の画像フレームに対する差分を判定して差分が生じた場合、またはユーザの要求操作があった場合などが例示される。
一方、プロジェクタ３の記憶行為実行部３２４は、ＰＣ２から送信されてきた画像データの画像情報記憶部３２３への記憶要求の有無を、記憶要求フラグのセット状態から認識し、記憶要求がなされている画像データのみ、画像情報記憶部３２３に記憶する。
【００５０】
このような本実施形態のプロジェクションシステム１における、リアルタイム表示時の作用について、図８を参照して説明する。なお、プロジェクタ３に記憶されている画像データに基づく再生表示時の作用は、第１実施形態と同様であるため、ここでの説明を省略する。
ＰＣ２において、リアルタイム表示が要求されていると判断された場合に、画像情報取得部２３５１は、補助メモリ２３３から映像ソースの画像データの取得および画像データの復号を行う（ステップＳ２１）。
【００５１】
画像補正処理部２３５２は、復号した画像データに対して形状変換処理や色調変換処理を施し（ステップＳ２２）、画像情報圧縮部２３５３は、画像処理済みの画像データを圧縮する（ステップＳ２３）。
そして、処理済画像情報取得指令部２３６は、送信される画像データをプロジェクタ３に取得させる指令を生成し（ステップＳ２４）、画像情報記憶要求部２３７は、例えば、操作部２１からのユーザの操作情報に基づいて、プロジェクタ３における画像データの記憶を要求する記憶要求フラグを生成する（ステップＳ２５）。
送受信部２３１は、取得指令、記憶要求フラグ、および補正圧縮済みの画像データを、ＵＳＢケーブル４を介してプロジェクタ３へ送信する（ステップＳ２６）。
【００５２】
ステップＳ２６の後、プロジェクタ３の送受信部３２１は、取得指令、記憶要求フラグ、および補正圧縮済みの画像データを受信し、処理済画像情報取得部３２５は、取得指令に従って、画像データを送受信部３２１から取得する（ステップＳ２７）。
記憶行為実行部３２４は、記憶要求フラグに基づいて画像データの記憶の要否を判定し（ステップＳ２８）、記憶要と認識した場合に、記憶行為実行部３２４は、この画像データに関する各種ヘッダ情報を該画像データに加え、１つのまとまった画像データとして画像情報記憶部３２３に記憶させる（ステップＳ２９）。
【００５３】
さらに、画像情報伸張部３２６は、処理済画像情報取得部３２５により取得された圧縮済みの画像データに伸張処理を施し（ステップＳ３０）、液晶パネル駆動制御部３２７は、伸張処理後の画像データに基づく駆動信号を液晶ライトバルブ３１２に出力して、処理済みの画像データに基づく光学像を形成させる（ステップＳ３１）。
【００５４】
このような本実施形態では、ＰＣ２で画像処理が施されてプロジェクタ３に送信された画像データの記憶の要否を判定するため、記憶が必要な画像データのみを画像情報記憶部３２３に記憶する。従って、記憶不要の画像データまで画像情報記憶部３２３に記憶するのを防ぐことができる。
【００５５】
［第３実施形態］
次に、本発明の第３実施形態を図面に基づいて説明する。
前述した第１および第２実施形態では、プロジェクタ３は、ＰＣ２から送信された画像データに基づく画像をリアルタイムに表示するか、または、画像情報記憶部３２３に記憶されている画像データに基づく画像を再生表示していた。
これに対して、第３実施形態に係る画像表示システムでは、図９に示すように、プロジェクタ３に画像情報合成部３２８が設けられていて、ＰＣ２からリアルタイム送信されてきた画像データに基づく画像と、画像情報記憶部３２３に記憶されている画像データに基づく画像の両画像を重ねて表示する、いわゆるピクチャインピクチャ表示が行える点が相違する。
【００５６】
具体的に、プロジェクタ３の画像情報合成部３２８は、送受信部２３１から順次取得している画像データと、画像情報記憶部３２３から取得した画像データとを合成して最終的な画像データを生成し、生成した画像データを液晶パネル駆動制御部３２７に送信する。
【００５７】
このような本実施形態のプロジェクションシステム１について、リアルタイム表示と記憶画像データの再生表示との両方の要求がなされた場合の作用を、図１０に基づいて説明する。なお、それぞれの表示が単独で要求されている場合の作用は、第１実施形態と同様であるため、ここでの説明を省略する。
【００５８】
ＰＣ２において、制御装置２３は  ユーザの操作情報に基づいて、ユーザからのリアルタイム表示要求の有無を判定する（ステップＳ４１）。
ユーザからのリアルタイム表示要求有りと判定された場合に、画像情報取得部２３５１は、補助メモリ２３３から画像データを取得し、取得した画像データに対してデコードやＩＰ変換等を行ってフレーム毎に画像データを復号する（ステップＳ４２）。
【００５９】
ステップＳ３２の後、画像補正処理部２３５２は、復号した画像データに対して形状変換処理や色調変換処理を施し（ステップＳ４３）、画像情報圧縮部２３５３は、画像処理済みの画像データを圧縮する（ステップＳ４４）。
そして、処理済画像情報取得指令部２３６は、プロジェクタ３に対して処理済みの画像データを取得させる指令を生成する（ステップＳ４５）。
【００６０】
ステップＳ４５の後、制御装置２３は  ユーザの操作情報に基づいて、プロジェクタ３に記憶されている画像データの再生表示要求の有無を判定する（ステップＳ４６）。
ユーザからの記憶画像データの再生表示要求有りと判定された場合、すなわち、ユーザが再生データ情報の中から特定の再生データ情報を選択した場合に、処理済画像情報取得指令部２３６は、選択された再生データ情報に対応する画像データを、プロジェクタ３の画像情報記憶部３２３から取得させる指令を生成する（ステップＳ４７）。
そして、送受信部２３１は、補正圧縮済みの画像データ、この画像データを取得させる指令、および画像情報記憶部３２３の記憶画像データを取得させる指令を、ＵＳＢケーブル４を介してプロジェクタ３へ送信する（ステップＳ４８）。
【００６１】
ステップＳ４８の後、プロジェクタ３の送受信部３２１は、送信されてきた画像データと各取得指令とをＰＣ２から受信し（ステップＳ４９）、処理済画像情報取得部３２５は、送信されてきた画像データを送受信部３２１から取得する（ステップＳ５０）。
また、処理済画像情報取得部３２５は、画像情報記憶部３２３に記憶されている画像データの中から、取得指令に従って画像データを取得する（ステップＳ５１）。
そして、画像情報伸張部３２６は、送受信部３２１から取得された画像データと、画像情報記憶部３２３から取得された画像データとに、それぞれ伸張処理を施す（ステップＳ５２）。
【００６２】
画像情報合成部３２８は、ＰＣ２から順次取得している画像データと、画像情報記憶部３２３から取得した画像データとを合成して最終的な画像データを生成し（ステップＳ５３）、液晶パネル駆動制御部３２７は、合成後の画像データに基づく駆動信号を液晶ライトバルブ３１２に出力して、ＰＣ２から順次取得している画像データに基づく光学像と、画像情報記憶部３２３から取得した画像データに基づく光学像とを重ねて形成させる（ステップＳ５４）。
このような本実施形態では、図１１に示すように、プロジェクタ３は、ＰＣ２から送信されている画像データに基づく画像と、画像情報記憶部３２３に記憶されている画像データに基づく画像の両方を同時に表示することが可能となる。
【００６３】
［実施形態の変形］
なお、本発明は、上述した実施の形態に限定されるものではなく、本発明の目的を達成できる範囲で以下に示される変形をも含むものである。
前記各実施形態では、ＰＣ２に画像情報圧縮部２３５３が設けられ、プロジェクタ３に画像情報伸張部３２６が設けられていたがこれに限られず、画像情報圧縮部２３５３および画像情報伸張部３２６を設けない構成とすることもできる。
【００６４】
前記各実施形態では、画像情報記憶部３２３に記憶されている画像データに基づく画像を再生表示する場合に、ＰＣ２を操作して画像データを取得していたがこれに限られず、プロジェクタ３のユーザインターフェースを通じて画像データを取得する構成としてもよい。このようにすることで、プロジェクタ３単体での画像表示が可能となる。この際のユーザインターフェースには、プロジェクタの筐体に付属していてもよく、また、リモコンを通じてスクリーンＳｃ上に表示したメニューから選択してもよい。
【００６５】
本発明を実施するための最良の構成などは、以上の記載で開示されているが、本発明は、これに限定されるものではない。すなわち、本発明は、主に特定の実施形態に関して特に図示され、かつ、説明されているが、本発明の技術的思想および目的の範囲から逸脱することなく、以上述べた実施形態に対し、数量、その他の詳細な構成において、当業者が様々な変形を加えることができるものである。
【産業上の利用可能性】
【００６６】
本発明は、プレゼンテーションやホームシアタに用いられるプロジェクタを利用した画像表示システムに利用できる。
【図面の簡単な説明】
【００６７】
【図１】本発明の第１実施形態に係る画像表示システムの構成を示す図。
【図２】前記第１実施形態における情報処理装置の概略構成を示すブロック図。
【図３】前記第１実施形態における画像表示装置の概略構成を示すブロック図。
【図４】前記第１実施形態における記憶済み画像情報の内容を示す図。
【図５】前記第１実施形態における画像表示システムの作用を説明するフローチャート。
【図６】前記第１実施形態における画像表示システムの作用を説明するフローチャート。
【図７】本発明の第２実施形態に係る情報処理装置の概略構成を示すブロック図。
【図８】前記第２実施形態における画像表示システムの作用を説明するフローチャート。
【図９】本発明の第３実施形態に係る画像表示装置の概略構成を示すブロック図。
【図１０】前記第３実施形態における画像表示システムの作用を説明するフローチャート。
【図１１】前記第３実施形態における画像表示システムの画像情報合成時の表示画像を示す図。
【符号の説明】
【００６８】
１…プロジェクションシステム（画像表示システム）、２…ＰＣ（情報処理装置）、３…プロジェクタ（画像表示装置）、４…ＵＳＢケーブル（情報伝送手段）、３１…画像投射部（画像表示装置側表示部）、２３１…送受信部（情報送信部）、２３５…画像処理部、２３６…処理済画像情報取得指令部、３２１…送受信部（情報受信部）、３２３…画像情報記憶部、３２４…記憶行為実行部、３２５…処理済画像情報取得部、３２６…画像情報伸張部、３２７…液晶パネル駆動制御部（画像表示制御部）、３２８…画像情報合成部、２３５３…画像情報圧縮部。
【図１】
2008058574.tif 000003
【図２】
2008058574.tif 000004
【図３】
2008058574.tif 000005
【図４】
2008058574.tif 000006
【図５】
2008058574.tif 000007
【図６】
2008058574.tif 000008
【図７】
2008058574.tif 000009
【図８】
2008058574.tif 000010
【図９】
2008058574.tif 000011
【図１０】
2008058574.tif 000012
【図１１】
2008058574.tif 000013
【手続補正書】
【提出日】平成19年7月24日(2007.7.24)
【手続補正１】
【補正対象書類名】特許請求の範囲
【補正対象項目名】全文
【補正方法】変更
【補正の内容】
【特許請求の範囲】
【請求項１】
画像情報を処理する情報処理装置と、前記情報処理装置にて処理された前記画像情報に基づく画像を表示する画像表示装置と、前記情報処理装置および前記画像表示装置間を情報の送受信可能に接続する情報伝送手段とを備えた画像表示システムであって、
前記情報処理装置は、
前記画像情報を取得するとともに、取得した前記画像情報に所定の画像処理を施す画像処理部と、
前記画像表示装置に対して送信する取得指令を生成する処理済画像情報取得指令部と、
前記処理済画像情報および前記取得指令を前記画像表示装置に送信する情報送信部とを備え、
前記画像表示装置は、
前記情報伝送手段を介して前記情報処理装置から送信された前記処理済画像情報を受信する情報受信部と、
前記処理済画像情報を記憶する不揮発性の画像情報記憶部と、
前記画像情報記憶部への前記処理済画像情報の記憶行為を実行する記憶行為実行部と、
前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、
前記処理済画像情報取得部で取得された処理済画像情報に基づく画像を、画像表示装置側表示部に表示させる画像表示制御部とを備えている
ことを特徴とする画像表示システム。
【請求項２】
請求項１に記載の画像表示システムにおいて、
前記画像表示装置は、前記処理済画像情報を合成する画像情報合成部を備え、
前記情報受信部が受信する処理済画像情報と、前記画像情報記憶部に記憶された処理済画像情報との取得指令がなされた場合に、
前記処理済画像情報取得部は、前記情報受信部が受信する処理済画像情報を前記情報受信部から順次取得するとともに、前記画像情報記憶部に記憶された処理済画像情報を前記画像情報記憶部から取得し、
前記画像情報合成部は、前記処理済画像情報取得部が取得した前記処理済画像情報同士を合成する
ことを特徴とする画像表示システム。
【請求項３】
請求項１または請求項２に記載の画像表示システムにおいて、
前記情報処理装置は、前記処理済画像情報を圧縮する画像情報圧縮部を備え、
前記画像表示装置は、圧縮された前記処理済画像情報を伸張する画像情報伸張部を備えている
ことを特徴とする画像表示システム。
【請求項４】
請求項１〜請求項３のいずれかに記載の画像表示システムにおいて、
前記情報処理装置は、前記情報送信部から送信される処理済画像情報を記憶する旨の記憶要求信号を生成し、前記前記情報送信部を介して送信する画像情報記憶要求部を備え、
前記画像表示装置の前記記憶行為実行部は、前記記憶要求信号に基づいて、前記画像情報記憶部への前記処理済画像情報の記憶行為を実行する
ことを特徴とする画像表示システム。
【請求項５】
画像情報の処理を施すとともに、処理が施された処理済画像情報とこの処理済画像情報の取得指令とを情報伝送手段を介して送信する情報処理装置と前記情報伝送手段を介して接続され、前記処理済画像情報に基づく画像を表示する画像表示装置であって、
前記情報伝送手段を介して前記情報処理装置から送信された前記処理済画像情報を受信する情報受信部と、
前記処理済画像情報を記憶する不揮発性の画像情報記憶部と、
前記画像情報記憶部への前記処理済画像情報の記憶行為を実行する記憶行為実行部と、
前記取得指令に基づいて、前記情報受信部が受信する処理済画像情報、および前記画像情報記憶部に記憶された処理済画像情報のうち、少なくともいずれか一方の処理済画像情報を取得する処理済画像情報取得部と、
前記処理済画像情報取得部で取得された前記処理済画像情報に基づく画像を、画像表示装置側表示部に表示させる画像表示制御部とを備えている
ことを特徴とする画像表示装置。
【手続補正２】
【補正対象書類名】明細書
【補正対象項目名】００５９
【補正方法】変更
【補正の内容】
【００５９】
ステップＳ４２の後、画像補正処理部２３５２は、復号した画像データに対して形状変
換処理や色調変換処理を施し（ステップＳ４３）、画像情報圧縮部２３５３は、画像処理
済みの画像データを圧縮する（ステップＳ４４）。
そして、処理済画像情報取得指令部２３６は、プロジェクタ３に対して処理済みの画像
データを取得させる指令を生成する（ステップＳ４５）。